(57)【要約】      （修正有）【課題】床部に埋設せず、局所的な異常の点検等にも対応しやすく汎用性を向上させるとともに、作業中の事故が発生しにくい安全性の高い床置き照明装置を提供する。【解決手段】車両の製造または点検整備に際し床部に載置されて下方から車両を照らすための照明装置１０であって、平面視多角形状の底板部１１と、底板部上の少なくとも一辺に配置されるＬＥＤからなる光源部材２０と、底板部の形状に対応した透光性及び耐衝撃性を有する天板部材３０と、底板部上の複数の辺に配置され、天板部材を支持する支持部４１を有し光源部材よりも嵩高である支持部材４０とを備え、天板部材内側面には光源部材から発せられた光を乱反射させて面発光させる反射部３１が形成されているとともに、天板部材は光源部材と接触しないように設けられている。【選択図】図２
0003227538.tif 000002
【実用新案登録請求の範囲】
【請求項１】
車両の製造または点検整備に際し床部に載置されて下方から前記車両を照らすための照明装置であって、
平面視多角形状の底板部と、
前記底板部上の少なくとも一辺に配置されるＬＥＤからなる光源部材と、
前記底板部の形状に対応した透光性及び耐衝撃性を有する天板部材と、
前記底板部上の複数の辺に配置され、前記天板部材を支持する支持部を有し前記光源部材よりも嵩高である支持部材とを備え、
前記天板部材内側面には前記光源部材から発せられた光を乱反射させて面発光させる反射部が形成されているとともに、
前記天板部材は前記光源部材と接触しないように設けられている
ことを特徴とする床置き照明装置。
【請求項２】
前記天板部材がポリカーボネート製である請求項１に記載の床置き照明装置。
【請求項３】
前記支持部材が、前記底板部の辺の一部に配置されている請求項１または２に記載の床置き照明装置。
【請求項４】
前記天板部材表面に帯電防止機能を有する保護フィルムが設けられている請求項１ないし３のいずれか１項に記載の床置き照明装置。
【請求項５】
前記底板部が四角形状であって、前記支持部材が前記底板部の対向する２辺に配置されているとともに、棒状部材よりなり前記天板部材が載置される載置部が形成された造影部材が前記支持部材に平行に一または複数配置されていて、前記天板部材が前記支持部材及び前記造影部材により区画された区画面部を有し、前記区画面部の前記支持部材ないし前記造影部材の配置されていない前記底板部の辺の少なくとも一方に前記光源部材が配置されることにより、前記区画面部が面発光される請求項１ないし４のいずれか１項に記載の床置き照明装置。
【請求項６】
前記区画面部の幅が５〜１５ｃｍである請求項５に記載の床置き照明装置。
【請求項７】
前記照明装置が他の照明装置と接続される請求項１ないし６のいずれか１項に記載の床置き照明装置。
【考案の詳細な説明】
【技術分野】
【０００１】
本考案は、車両の製造または点検整備に際し床部に載置されて下方から車両を照らすための床置き照明装置に関する。
【背景技術】
【０００２】
自動車等の車両の製造または点検整備に際し、例えば、車両の底部や車体表面等を点検対象として作業を実施する場合に、天井からの照明だけでは光量が不足したり、点検対象に影が差したりする等、暗くなって作業がし難くなる。そこで、作業場の床部に照明装置を設置し、下方から車両の底部野車体表面等を照らして作業が行われることがある（例えば、特許文献１参照）。
【０００３】
この照明装置は、作業場の床部に複数の凹溝部を形成し、蛍光灯等の照明器具を各凹溝部に埋設して、車両用昇降装置上の車両の底部等を全体的に満遍なく照らして、作業をしやすくするものである。しかしながら、車体表面等のへこみや傷、塗装むら等の異常を目視等で点検する場合、車両を満遍なく照らすよりも、ある程度の範囲を局所的に照らした方が異常を発見しやすくなる。
【０００４】
また、上記の照明装置のように、作業場の床部に照明器具を埋設した構造では、作業場の床部を照明装置に対応させて改装する必要があったり、局所的な異常の点検等の際には検査車両自体を逐一所定の検査位置に移動しなければならなかったりする等、必ずしも使い勝手がよいとはいえないものであった。上記照明装置の代わりとして、スポットライトや携帯用の蛍光灯等の小型の照明装置を使用することも可能であるが、作業中の作業者の接触等により転倒や破損等の事故が発生するおそれがあり、使用に適しているとは言い難かった。
【先行技術文献】
【特許文献】
【０００５】
【特許文献１】特開２００７−２３４４９８号公報
【考案の概要】
【考案が解決しようとする課題】
【０００６】
本考案は、前記の点に鑑みなされたものであって、床部に埋設せず、局所的な異常の点検等にも対応しやすく汎用性を向上させるとともに、作業中の事故が発生しにくい安全性の高い床置き照明装置を提供するものである。
【課題を解決するための手段】
【０００７】
すなわち、請求項１の考案は、車両の製造または点検整備に際し床部に載置されて下方から前記車両を照らすための照明装置であって、平面視多角形状の底板部と、前記底板部上の少なくとも一辺に配置されるＬＥＤからなる光源部材と、前記底板部の形状に対応した透光性及び耐衝撃性を有する天板部材と、前記底板部上の複数の辺に配置され、前記天板部材を支持する支持部を有し前記光源部材よりも嵩高である支持部材とを備え、前記天板部材内側面には前記光源部材から発せられた光を乱反射させて面発光させる反射部が形成されているとともに、前記天板部材は前記光源部材と接触しないように設けられていることを特徴とする床置き照明装置に係る。
【０００８】
請求項２の考案は、前記天板部材がポリカーボネート製である請求項１に記載の床置き照明装置に係る。
【０００９】
請求項３の考案は、前記支持部材が、前記底板部の辺の一部に配置されている請求項１または２に記載の床置き照明装置に係る。
【００１０】
請求項４の考案は、前記天板部材表面に帯電防止機能を有する保護フィルムが設けられている請求項１ないし３のいずれか１項に記載の床置き照明装置に係る。
【００１１】
請求項５の考案は、前記底板部が四角形状であって、前記支持部材が前記底板部の対向する２辺に配置されているとともに、棒状部材よりなり前記天板部材が載置される載置部が形成された造影部材が前記支持部材に平行に一または複数配置されていて、前記天板部材が前記支持部材及び前記造影部材により区画された区画面部を有し、前記区画面部の前記支持部材ないし前記造影部材の配置されていない前記底板部の辺の少なくとも一方に前記光源部材が配置されることにより、前記区画面部が面発光される請求項１ないし４のいずれか１項に記載の床置き照明装置に係る。
【００１２】
請求項６の考案は、前記区画面部の幅が５〜１５ｃｍである請求項５に記載の床置き照明装置に係る。
【００１３】
請求項７の考案は、前記照明装置が他の照明装置と接続される請求項１ないし６のいずれか１項に記載の床置き照明装置に係る。
【考案の効果】
【００１４】
請求項１の考案に係る床置き照明装置によると、車両の製造または点検整備に際し床部に載置されて下方から前記車両を照らすための照明装置であって、平面視多角形状の底板部と、前記底板部上の少なくとも一辺に配置されるＬＥＤからなる光源部材と、前記底板部の形状に対応した透光性及び耐衝撃性を有する天板部材と、前記底板部上の複数の辺に配置され、前記天板部材を支持する支持部を有し前記光源部材よりも嵩高である支持部材とを備え、前記天板部材内側面には前記光源部材から発せられた光を乱反射させて面発光させる反射部が形成されているとともに、前記天板部材は前記光源部材と接触しないように設けられているため、設置や撤去が簡単で取り扱いが容易であり、局所的な異常の点検等にも対応しやすく汎用性に優れるとともに、天板部材に衝撃や荷重がかかっても各部材の破損等が回避されて安全性が確保でき、簡易な構成によって照明として適切な性能も確保することができる。
【００１５】
請求項２の考案によると、請求項１の考案において、前記天板部材がポリカーボネート製であるため、優れた透明性や耐衝撃性能を備えており、光源部材からの光を適切に透過させることができるとともに、天板部材が破損しにくくなって安全性が向上する。
【００１６】
請求項３の考案によると、請求項１または２の考案において、前記支持部材が、前記底板部の辺の一部に配置されているため、軽量化とともにコストの低減を図ることができる。
【００１７】
請求項４の考案によると、請求項１ないし３の考案において、前記天板部材表面に帯電防止機能を有する保護フィルムが設けられているため、静電気の発生を抑制することが可能となる。
【００１８】
請求項５の考案によると、請求項１ないし４の考案において、前記底板部が四角形状であって、前記支持部材が前記底板部の対向する２辺に配置されているとともに、棒状部材よりなり前記天板部材が載置される載置部が形成された造影部材が前記支持部材に平行に一または複数配置されていて、前記天板部材が前記支持部材及び前記造影部材により区画された区画面部を有し、前記区画面部の前記支持部材ないし前記造影部材の配置されていない前記底板部の辺の少なくとも一方に前記光源部材が配置されることにより、前記区画面部が面発光されるため、支持部材とともに天板部材を支持して天板部材に荷重がかかった場合等のたわみ等をより効果的に抑制することができて光源部材と天板部材との非接触状態が保持しやすくなるとともに、車両表面をストライプ状に照らして表面の異常を発見しやすくすることができる。
【００１９】
請求項６の考案によると、請求項５の考案において、前記区画面部の幅が５〜１５ｃｍであるため、適切な照明効果が得られるとともに、天板部材３０に荷重がかかった場合のたわみを抑制することができる。
【００２０】
請求項７の考案によると、請求項１ないし６の考案において、前記照明装置が他の照明装置と接続されるため、設置や撤去に際しては個別に運搬可能であり、使用に際してはより広範囲の照射が可能となる等、より汎用性が高められる。
【図面の簡単な説明】
【００２１】
【図１】本考案の第１実施形態に係る床置き照明装置の平面図である。
【図２】図１のＡ−Ａ断面図である。
【図３】図１のＢ−Ｂ断面図である。
【図４】第２実施形態に係る床置き照明装置の平面図である。
【図５】図４のＣ−Ｃ断面図である。
【図６】本考案の床置き照明装置の使用例を示す概略斜視図である。
【図７】第３実施形態に係る床置き照明装置の平面図である。
【考案を実施するための形態】
【００２２】
図１〜３に示す本考案の第１実施形態に係る床置き照明装置１０は、車両の製造または点検整備に際し、作業場の床部に載置されて下方から車両を照らすための照明装置であって、底板部１１と、光源部材２０と、天板部材３０と、支持部材４０とを備える。この床置き照明装置１０では、大きさは照明として必要な明るさ等が確保可能であれば特に限定されないが、特に、作業者が１名または数名で容易に運搬可能とするために、縦方向及び横方向の長さがそれぞれ５０〜１００ｃｍ程度の平板形状とすることが好ましい。
【００２３】
底板部１１は、平面視多角形状に形成された板状部材である。底板部１１の形状は、平面視多角形状であれば特に限定されないが、図１に示すように、平面視四角形状とすれば、製造が容易で汎用性も向上する。また、図２，３に示すように、底板部１１の各辺部には、必要に応じて側板１２が設けられる。
【００２４】
光源部材２０は、図１に示すように、底板部１１上の少なくとも一辺に配置されるＬＥＤからなる。ＬＥＤは、蛍光灯と比較して寿命が長く、消費電力が少ない等の利点があることで知られている。光源部材２０として使用されるＬＥＤとしては、例えば、広範囲の発光が可能な公知のＬＥＤパネル等が用いられる。ＬＥＤパネルの大きさ（長さ）は、設置される底板部１１の辺の長さやコスト等に応じて適宜である。また、底板部１１の大きさ（縦方向や横方向の長さ）や形状等に応じて、光源部材２０は底板部１１の複数辺に配置される。底板部１１の複数辺に光源部材２０を配置する場合、各光源部材２０は、隣接する辺に配置せずに互いに離隔することがコスト等の観点から好ましい。例えば、図示のような平面視長方形状の底板部１１においては、対向する２辺間の距離が長くなる２つの短辺にそれぞれ光源部材２０，２０が配置される。図示を省略するが、平面視長方形状の底板部１１の長辺側に光源部材２０を配置することも可能である。その場合、各長辺間の距離が短くなるため、一歩の長辺にのみ光源部材が配置される。なお、光源部材２０の配線は、光源部材２０と底板部１１の側板１２との間の空間部Ｓを通して外部の電源等に接続される。
【００２５】
天板部材３０は、底板部１１の形状に対応してその上部側に配置される部材であり、光源部材２０からの光を透過させる透光性とともに、当該照明装置１０を保護する耐衝撃性を有する。天板部材３０としては、透光性及び耐衝撃性を有する材料であれば特に限定されないが、例えば、ポリカーボネート製の板状部材が特に好ましい。ポリカーボネートは、透明性に優れることにより、光源部材２０からの光を適切に透過させることができる。また、優れた耐衝撃性能により、作業中の工具等の落下物や作業者が乗ったりした場合にも破損するおそれがなく、安全性が向上する。
【００２６】
この天板部材３０では、内側面に反射部３１が形成されている。反射部３１は、光源部材２０から発せられた光を乱反射させて、天板部材３０を面発光させる。反射部３１は、表面に施された所定の凹凸面等により光源部材２０の光を乱反射させる。これにより、指向性の強いＬＥＤ（光源部材２０）の光が天板部材３０全面に拡散されて、天板部材３０をほぼ均一に面発光させることができる。
【００２７】
また、天板部材３０の表面（外面）には、必要に応じて帯電防止機能を有する保護フィルムが設けられる。この保護フィルムにより、静電気の発生を抑制することが可能となる。そのため、例えば、塗装作業等の際に塗装部位に静電気による埃や塵等の異物の付着を防止して塗装不良の発生を低減させることができる。なお、この保護フィルムには、帯電防止機能の他に、防汚機能等の適宜の保護機能を付与してもよい。
【００２８】
支持部材４０は、底板部１１上の複数の辺に配置され、天板部材３０を支持する支持部４１を有する。この支持部材４０は、光源部材２０よりも嵩高に構成される。すなわち、支持部４１が光源部材２０よりも上方に位置し、天板部材３０は支持部材４０によって光源部材２０と接触しないように支持された状態となる。これにより、作業者が当該照明装置１０上に乗ったとしても、その荷重が光源部材２０に作用することがなく、光源部材２０の破損等を回避することができる。なお、支持部材４０は、ネジ部材等の公知の固定部材（図示せず）等を用いて天板部材３０と固定される。
【００２９】
また、支持部材４０は、強度や重量等の観点から、幅が５〜１５ｃｍ程度とされる。支持部材４０の幅が狭すぎると強度が不足するおそれがあり、広すぎると軽量化の観点から不利となる。さらに、支持部材４０は、光源部材２０と天板部材３０との非接触状態が保持可能な高さがあればよく、その上で、当該照明装置１０全体の厚みを薄く、すなわち照明装置１０を床部に載置した際の段差が少なくなるようにすることが好ましい。照明装置１０の厚みは、例えば、１．５〜２．５ｃｍ程度である。照明装置１０が薄すぎると、光源部材２０と天板部材３０とが接触したり強度が不十分となったりするおそれが生じる。照明装置１０が厚すぎると、段差が高くなりすぎて作業者が作業中につまずきやすくなる等の安全性で問題が生じるおそれがある。
【００３０】
支持部材４０は、光源部材２０と天板部材３０とが非接触となるように天板部材３０を支持することが可能であれば、底板部１１の辺の全体にわたって配置されてもよいし、辺の一部に配置されてもよい。底板部１１の辺の全体にわたって支持部材４０を配置すれば、天板部材３０を強固に支持することができ、強度が向上する。また、底板部１１の辺の一部に支持部材４０を配置する場合、例えば、図１，２に示すように、底板部１１の辺に所定の間隙４２を介して複数の短尺の支持部材４０ａを直列状に配置することができる。このように複数の短尺の支持部材４０ａを配置する場合、底板部１１の辺のほぼ全長にわたって支持部材４０を配置する場合と比較して、軽量化とともにコストの低減を図ることができる。
【００３１】
本考案の床置き照明装置１０は、底板部１１上の少なくとも一辺に光源部材２０、複数の辺に支持部材４０がそれぞれ配置され、天板部材３０が支持部材４０に支持されて光源部材２０と接触しないように設けられた平板形状の照明装置であることから、床部に埋設されずに載置して使用可能であり、使用中に当該照明装置１０を簡単に移動させることができる。そのため、点検対象の位置等に応じて当該照明装置１０を移動させて所望する部位を照らすことが可能で局所的な異常の点検等にも対応しやすく汎用性に優れており、作業時の移動だけでなく作業の前後における当該照明装置１０の設置や撤去等も簡単に行うことができて取り扱いが容易である。
【００３２】
また、天板部材３０が耐衝撃性を有し、光源部材２０と接触しないように支持部材４０に形成されているため、工具等の落下物との衝突や、作業者の乗り上げ等による荷重等の衝撃を受けても破損しにくく、特に天板部材３０が荷重によりたわんだとしても、照明装置１０内部の光源部材２０と接触することがなく、光源部材２０の破損を回避することができて、安全性が確保される。
【００３３】
さらに、照明装置１０では、光源部材２０としてＬＥＤを使用するため、省電力で寿命が長く、経済的に有利である。また特に、光源部材２０から発せられた光を天板部材３０の内側面の反射部３１で乱反射させて天板部材３０を面発光させるため、限られた光源からの光を広範囲かつ均一に発現させることができ、簡易な構成によって照明として適切な性能を確保することができる。
【００３４】
次に、図４〜７を用いて、他の実施形態に係る床置き照明装置（１０Ａ，１０Ｂ）について説明する。以下の説明において、第１実施形態と同一符号は同一の構成を表すものとして説明を省略する。
【００３５】
図４〜６に示す第２実施形態に係る床置き照明装置１０Ａは、底板部１１が四角形状であって、支持部材４０が底板部１１の対向する２辺に配置され、天板部材３０が造影部材４５により区画された区画面部３５を有する例である。
【００３６】
造影部材４５は、棒状部材よりなり、天板部材３０が載置される載置部４６が形成されており、支持部材４０に平行に一または複数（図の例では５つ）配置されて、天板部材３０を複数の区画面部３５に区画する。
【００３７】
この造影部材４５は、図５に示すように、載置部４６に天板部材３０が載置されることから、載置部４６が光源部材２０よりも嵩高であって支持部材４０の支持部４１と等しい高さに位置するように構成される。そのため、造影部材４５は、支持部材４０とともに天板部材３０を支持することができ、天板部材３０に荷重がかかった場合等に天板部材３０のたわみ等をより効果的に抑制することが可能となって、光源部材２０と天板部材３０との非接触状態が保持しやすくなる。このように、天板部材３０に荷重が加わること等によるたわみが抑制されると、支持部材４０や造影部材４５の高さをより低く設定することが可能となって、当該照明装置１０Ａの薄型化を図ることができる。照明装置１０Ａの薄型化は、設置時に作業場に生じる段差の低減につながり、より安全性を高めることが可能である。なお、造影部材４５は、強度や重量等の観点から、支持部材４０と同様に幅が５〜１５ｃｍ程度とされる。
【００３８】
さらに、造影部材４５は、支持部材４０と同様に、図４に示すように、支持部材４０に平行となる設置位置の一部、すなわち所定の間隙４７を介して複数の短尺の造影部材４５ａを直列状に配置することができる。複数の短尺の造影部材４５ａを配置することにより、設置位置のほぼ全長にわたって造影部材４５を配置する場合と比較して、軽量化とともにコストの低減を図ることができる。なお、造影部材４５は、必要に応じてネジ部材等の公知の固定部材（図示せず）等を用いて天板部材３０と固定される。
【００３９】
この造影部材４５は、２つの支持部材４０，４０間にほぼ等間隔で配置されて、各区画面部３５を略等しく区画するように構成される。支持部材４０と造影部材４５との間隔や造影部材４５同士の間隔は、区画面部３５の幅に相当し、例えば、５〜１５ｃｍとされる。区画面部３５の幅は、狭すぎると照明としての効果が不足するおそれがあり、広すぎると天板部材３０に荷重がかかった場合等でたわみやすくなる恐れがある。
【００４０】
造影部材４５により区画された区画面部３５では、支持部材４０ないし造影部材４５の配置されていない底板部１１の辺の少なくとも一方に光源部材２０が配置される。そして、この区画面部３５内の光源部材２０の発光により対応する区画面部３５が面発光される。すなわち、各区画面部３５は、対応する底板部１１の少なくとも一辺に配置された各光源部材２０の発光によりそれぞれ面発光される。その際、図４，５に示すように、各区画面部３５の境界部分となる天板部材３０の支持部材４０ないし造影部材４５が配置された位置に対応した部分が、支持部材４０ないし造影部材４５により光源部材２０のからの発光が妨げられて面発光されない陰影部３６となる。
【００４１】
陰影部３６は、図６に示すように、面発光する各区画面部３５に対し、支持部材４０ないし造影部材４５の配置部分のほぼ全長にわたって線状の陰影として形成される。そのため、当該照明装置１０によって照らされた車両Ｃの照射部分Ｃ１は、各区画面部３５からの照射による明部Ｃ２と、陰影部３６による暗部Ｃ３とで、ストライプ状に形成される。そして、車両Ｃの点検整備等の際にこの照射部分Ｃ１内の車両Ｃの表面に、塗装むら、傷、へこみ、異物の付着等の異常があれば、照射部分Ｃ１の暗部Ｃ３にゆがみが生じる。この暗部Ｃ３のゆがみを作業者が目視で確認することにより、車両Ｃの表面の異常を容易に発見することが可能となる。なお、区画面部３５の幅が広すぎたり、陰影部３６が細すぎ（造影部材４５の幅が狭すぎ）たりすると、作業者が車両Ｃの表面の異常を発見しにくくなるおそれがあるため、区画面部３５の幅や造影部材４５の幅は、前述の範囲内とすることが好ましい。
【００４２】
図７に示す第３実施形態に係る床置き照明装置１０Ｂは、当該装置の拡張のために複数の照明装置（１０，１０）を接続した例である。図示の例では２つの照明装置１０，１０を接続しているが、接続数はこれに限定されるものではなく、用途等に応じて適宜である。当該照明装置同士（１０，１０）の接続に際しては、拡張しやすさ等の観点から同形であることが好ましく、特に底板部１１が四角形状であることがより好ましい。また、照明装置同士（１０，１０）の接続手段は特に限定されるものではなく、例えば、接続金具等の公知の接続部材で接続したり、コネクタ等を介して各光源部材２０，２０の配線同士を接続したりする等、適宜の接続手段を用いることができる。
【００４３】
このように、複数の照明装置（１０，１０）を接続可能とすれば、設置や撤去に際しては照明装置１０を個別に運搬できて取り扱いが容易であり、使用に際してはより広範囲に照射が可能となる等、より汎用性が高められる。また、この照明装置１０Ｂでは、各照明部材１０，１０の支持部材４０が配置された部分は、各照明装置１０，１０の面発光時に陰影部３６として作用させることもできる。なお、図示を省略するが、天板部材３０が区画面部３５を有する第２実施形態に係る床置き照明装置１０Ａを複数接続したり、第１実施形態に係る照明装置１０と第２実施形態に係る照明装置１０Ａとを適宜接続したりする等、適宜に組み合わせることが可能である。
【００４４】
なお、本考案の床置き照明装置は、前述の実施形態のみに限定されるものではなく、考案の趣旨を逸脱しない範囲において構成の一部を適宜に変更して実施することができる。例えば、底板部に造影部材を配置する代わりに、天板部材に透光性を有していない帯状のフィルム等を貼着する等により、陰影部を形成してもよい。また、造影部材とともに、透光性を有していない帯状のフィルム等を設けることも可能である。
【産業上の利用可能性】
【００４５】
以上の通り、本考案の床置き照明装置は、床部に埋設せず取り扱いが容易で、局所的な異常の点検等にも対応しやすくて汎用性にも優れ、作業中の事故が発生しにくくなって安全性も向上されている。そのため、車両の製造または点検整備に際して使用される従来の照明装置の代替として有望である。
【符号の説明】
【００４６】
１０，１０Ａ，１０Ｂ    床置き照明装置
１１    底板部
１２    側板
２０    光源部材
３０    天板部材
３１    反射部
３５    区画面部
３５    陰影部
４０    支持部材
４０ａ  短尺の支持部材
４１    支持部
４２    支持部材の所定の間隙
４５    造影部材
４５ａ  短尺の造影部材
４６    載置部
４７    造影部材の所定の間隙
Ｃ      車両
Ｃ１    照射部分
Ｃ２    明部
Ｃ３    暗部
Ｓ      空間部
【図１】
0003227538.tif 000003
【図２】
0003227538.tif 000004
【図３】
0003227538.tif 000005
【図４】
0003227538.tif 000006
【図５】
0003227538.tif 000007
【図６】
0003227538.tif 000008
【図７】
0003227538.tif 000009